(57)【要約】【課題】  より前方を明るく照明することに適した照明装置を提供する。【解決手段】  照明装置１は、光源部１０と、光源部１０の前方に配置され、前方に向かうほど下方に位置する反射面２２を有する第１の反射体２０と、光源部１０の下方かつ前方に配置される拡散板６０とを備え、拡散板６０が、前方端６１が後方端６２よりも上方に位置するように構成されている。光源部１０は、前方に対して光軸が下方に傾くように配置されている。反射面２２は、放物線状に湾曲する湾曲部２１を有する。【選択図】図１
2016058228.tif 000002
【特許請求の範囲】
【請求項１】
光源部と、
前記光源部の前方に配置され、前方に向かうほど下方に位置する反射面を有する第１の反射体と、
前記光源部の下方かつ前方に配置される拡散板と、を備える照明装置であって、
前記拡散板が、前方端が後方端よりも上方に位置するように構成されていることを特徴とする照明装置。
【請求項２】
前記第１の反射体は、前記拡散板の前方端よりも下部側の少なくとも一部がカットされていることを特徴とする請求項１に記載の照明装置。
【請求項３】
前記光源部は、前方に対して光軸が下方に傾くように配置されていることを特徴とする請求項１または請求項２に記載の照明装置。
【請求項４】
前記反射面は、放物線状に湾曲する湾曲部を有することを特徴とする請求項１から請求項３のいずれか１項に記載の照明装置。
【請求項５】
前記光源が配置される第２の反射体を更に有し、
前記第２の反射体の下部側に、前記拡散板の後方端が保持されていることを特徴とする請求項１から４のいずれか１項に記載の照明装置。
【請求項６】
前記第１の反射体と、前記第２の反射体とが、一体に構成されていることを特徴とする請求項５に記載の照明装置。
【発明の詳細な説明】
【技術分野】
【０００１】
本発明は、照明装置に関する。
【背景技術】
【０００２】
従来、出射面に対して側方に光源を配置し、光源からの光を出射面まで導光して出射させるタイプの照明装置において、線状に配列された複数のＬＥＤを有する光源部と、光源部の直下近傍から一側に延びる出射面と、光源部の直上近傍から出射面と同一の側に延びる第１の反射体とを備え、第１の反射体は、光源部の直上近傍から延びるにしたがって出射面に近づくように構成された第１の反射面を含んでおり、光源部は、ＬＥＤの光軸が、出射面と平行な方向に対して第１の反射面側に傾くように設置されているものが提案されている（特許文献１）。
【先行技術文献】
【特許文献】
【０００３】
【特許文献１】特開２０１３−１８７１８３号公報
【発明の概要】
【発明が解決しようとする課題】
【０００４】
ところで、上記の従来技術では、光源の光軸を上方（反射面側）に傾けることによって、間接光と直接光の配光を制御し、これにより、光源よりも前方（奥側）の領域において均一な照度を実現している。
しかしながら、棚下照明装置が設置される棚の形状によっては、例えば、棚の奥行が長い場合等には、より前方を明るく照明することが要求される。
【０００５】
本発明はこのような問題に鑑みて行われたものであり、より前方を明るく照明することに適した照明装置を提供することを目的とする。
【課題を解決するための手段】
【０００６】
上記課題を解決するために、（１）本発明は、光源部と、前記光源部の前方に配置され、前方に向かうほど下方に位置する反射面を有する第１の反射体と、前記光源部の下方かつ前方に配置される拡散板と、を備える照明装置であって、前記拡散板が、前方端が後方端よりも上方に位置するように構成されている照明装置を提供する。
【０００７】
（２）前記第１の反射体は、前記拡散板の前方端よりも下部側の少なくとも一部がカットされている（１）に記載の照明装置を提供する。
（３）前記光源部は、前方に対して光軸が下方に傾くように配置されている（１）または（２）に記載の照明装置を提供する。
【０００８】
（４）前記反射面は、放物線状に湾曲する湾曲部を有する（１）から（３）のいずれか（１）に記載の照明装置を提供する。
（５）前記光源が配置される第２の反射体を更に有し、前記第２の反射体の下部側に、前記拡散板の後方端が保持されている（１）から（４）のいずれか（１）に記載の照明装置を提供する。
（６）前記第１の反射体と、前記第２の反射体とが、一体に構成されている（５）に記載の照明装置を提供する。
【発明の効果】
【０００９】
本発明によれば、より前方を明るく照明することに適した照明装置を提供することができる。
【図面の簡単な説明】
【００１０】
【図１】本発明の第１実施形態に係る照明装置の要部を示す断面図である。
【図２】本発明の第２実施形態に係る照明装置の要部を示す断面図である。
【図３】３つの検体について、鉛直下を０度としたビーム角と照度の関係を解析した結果を示すグラフである。
【図４】原理図を説明するための図であり、（ａ）は比較例、（ｂ）は本実施形態の構成の説明図である。
【発明を実施するための形態】
【００１１】
以下、添付図面を参照して、本発明を実施するための形態（以下、実施形態）について詳細に説明する。なお、実施形態の説明の全体を通して同じ要素には同じ番号を付している。
【００１２】
まず、本発明の第１実施形態に係る照明装置について説明する。
図１は、本発明の第１実施形態に係る照明装置の要部を示す断面図である。図１に示すように、本発明の実施形態に係る照明装置１は、導光板レス方式の照明装置であって、例えば棚下照明装置として用いられるものである。照明装置１は、複数のＬＥＤを並べてなる線状の光源部１０と、第１の反射体２０および第２の反射体３０を有する筺体４０と、筺体４０の発光面（照明装置の出射面）５０と、拡散板６０とを備える。
【００１３】
第１の反射体２０は、光源部１０の前方に配置され、前方に向かうほど下方に位置する反射面２２を有する。反射面２２は、放物線状に湾曲する湾曲部２１を有する。第２の反射体３０には光源部１０が配置されており、第２の反射体３０の下部側に、拡散板６０の後方端６２が保持されている。第１の反射体２０と第２の反射体３０とが一体に構成され筐体４０を構成する。
光源部１０は、前方に対して光軸が下方に傾くように配置されている。詳細には、ＬＥＤの光軸を、前方（筺体４０の発光面と平行な方向であり、基準となる「第１の方向」）に対して下方に４０°（角度ａ）傾けている。
【００１４】
拡散板６０は光源の下方かつ前方に配置されている。拡散板６０が、前方端６１が後方端６２よりも上方に位置するように構成されている。つまり、拡散板６０を照明装置１の出射面５０に対して上方に（前方ほど上側に位置するように）傾けて配置している。ここでは、拡散板６０を第１の方向に対して上方に１５°（角度ｂ）傾けている。この場合、光源をその光軸が拡散板６０側を向くように下方に（前方ほど下側に位置するように）に傾けて配置することが好ましい。
【００１５】
このように照明装置１を構成することにより、効率を向上させつつ、より前方を明るく照明することができる。なお、本実施形態では、光源部１０側に断面矩形状の空間が設けられているが、本発明にとって本質的なものではない。
【００１６】
次に、本発明の第２実施形態に係る照明装置について説明する。図２は、本発明の第２実施形態に係る照明装置の要部を示す断面図である。
図２に示すように、本発明の第２実施形態の照明装置１００では、第１の反射体７０が、拡散板６０の前方端６１よりも下部側の少なくとも一部（拡散板６０の前方端６１が配置される側よりも下側の部分）がカットされているカット部Ａを有する。言い換えると、筺体８０の後方側における下面８１の位置（上下方向の位置）と筺体８０の前方側における下面８２の位置（上下方向の位置）とが互いに異なり、前方側の下面８２位置の方が上方に位置している。
【００１７】
このように筺体８０の一部をカットすることにより、第１の実施形態と比較して、より一層効率を向上させつつ前方を明るく照明することができる。なお、この構成は、拡散板６０を上方に傾けて配置することによって初めて実現できるものである。また、第２の実施形態においては、筺体８０の発光面（照明装置の出射面）は、筺体８０の後方側の下面を前方（第１の方向）に仮想的に延ばした面であり、実質的に筺体の上面（本照明装置の被設置面）と平行な面となる。
【００１８】
次に本発明の実施形態に係る照明装置の検証結果について説明する。図３は、３つの検体について、鉛直下を０度としたビーム角と照度の関係を解析した結果を示すグラフである。横軸はビーム角度、縦軸は照度を示す。グラフ中の「１５度」「３０度」とは、第１の方向に対する拡散板６０の傾斜角である。グラフ中の「１５度Ｃｕｔ」「３０度Ｃｕｔ」は第２実施形態の照明装置の場合である。
【００１９】
グラフから、拡散板６０を傾けることによって、照度が最大となるビーム角の絶対値が大きくなることが分かる。すなわち、拡散板６０を傾けることによって、より前方を明るく照明できることが分かる。また、拡散板６０の傾斜角がいずれの場合とも、筺体８０の前方の一部をカットすることにより、より一層前方を明るく照明できることが分かる。なお、本発明者は、拡散板６０を傾けることにより、効率が約１〜２％向上し、筺体の前方をカットとすることにより更に効率が約１〜２％向上することを確認した。
【００２０】
図４は原理図を説明するための図であり、（ａ）は比較例、（ｂ）は本実施形態の構成の説明図である。より前方を明るく照明するためには、直接光Ｂ（第１の反射体２０に到達することなく拡散板６０から出射する光）の間接光Ａ（第１の反射体２０で反射されて拡散板６０から出射する光）に対する割合を大きくする必要がある。図４に示した原理図から分かるように、（ａ）の比較例（拡散板６０の傾斜角が０度の場合）と比較して、（ｂ）の本発明の構成とすることによって（拡散板６０を上方に傾けることによって）、光源から出射した光が湾曲状の反射面２２に入射する光が低減し、拡散板６０に直接（反射面を経由することなく）入射する光の割合が大きくなる。
【００２１】
すなわち、比較例において、湾曲状の反射面２２に入射して間接光Ａとなっていた光の成分が、拡散板に直接入射するようになり、拡散板６０から直接光Ｂとして前方に向かって出射させることができる。この結果、直接光Ｂの間接光Ａに対する割合が大きくなる。この場合、光源の光軸を下方に傾けることによって、より多くの光を拡散板６０に直接入射させることができるので、直接光Ｂの間接光Ａに対する割合をより大きくすることができる。また、筺体８０の前方の一部をカットすることによって、筺体８０における前方の下部側の部分で直接光Ｂが遮られることがないため、直接光Ｂの間接光Ａに対する割合をより一層大きくすることができる。
【００２２】
尚、前方を明るく照明するためには、前述したように、光源の光軸を拡散板６０側に傾けることが好ましいが、光源の光軸が発光面に対して平行に（第１の方向を向くように）配置しても一定の効果が期待できる。また、拡散板６０は、必ずしも平坦な板状である必要はなく、例えば、湾曲していてもよい。筺体の内面には、例えば、従来技術と同様に、拡散反射層や高反射層が設けられていてもよい。
【００２３】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００２４】
１、１００  照明装置
１０  光源部
２０、７０  第１の反射体
２１  湾曲部
２２  反射面
３０  第２の反射体
４０、８０  筐体
５０  発光面
６０  拡散板
Ａ  カット部
【図１】
2016058228.tif 000003
【図２】
2016058228.tif 000004
【図３】
2016058228.tif 000005
【図４】
2016058228.tif 000006